(57)【要約】【課題】軽量で柔軟性に富み、取り扱いや運送も簡単に行なえ、使用感に優れた水周り用のマットを、簡単な構造で安価に提供できるようにする。【解決手段】基布の表面にループパイル若しくはカットパイル等の繊維を立ち上げてなる水周り用のマットであって、繊維が疎水性繊維と吸水性繊維とからなり、各繊維の基布からの長さが、吸水性繊維の長さより疎水性繊維の長さを長くすることにより、吸水性繊維の上端を疎水性繊維の上端よりも低く位置させるようにした。【選択図】図１
0003127556.tif 000002
【実用新案登録請求の範囲】
【請求項１】
基布の表面にループパイル若しくはカットパイル等の繊維を立ち上げてなる水周り用のマットであって、繊維が疎水性繊維と吸水性繊維とからなり、各繊維の基布からの長さが、吸水性繊維の長さより疎水性繊維の長さを長くすることにより、吸水性繊維の上端を疎水性繊維の上端よりも低く位置させたことを特徴とする水周り用のマット。
【請求項２】
疎水性繊維がポリエステル繊維であって、吸水性繊維がアクリル繊維であることを特徴とする請求項１に記載の水周り用のマット。
【請求項３】
ポリエステル繊維の長さとアクリル繊維の長さと略等しい長さに形成した後、アクリル繊維をバルキー加工により収縮させて吸水性繊維の長さより疎水性繊維の長さを長くしたことを特徴とする請求項２に記載の水周り用のマット。
【請求項４】
基布の裏面に滑り止め手段が形成されていることを特徴とする請求項１乃至請求項３のいずれか１項に記載の水周り用のマット。
【請求項５】
疎水性繊維と吸水性繊維とが異なる色にしてあることを特徴とする請求項１乃至請求項４のいずれか１項に記載の水周り用のマット。
【請求項６】
吸水性繊維が天然繊維であることを特徴とする請求項１に記載の水周り用のマット。
【考案の詳細な説明】
【技術分野】
【０００１】
本考案はキッチンのシンク近傍の床部分、浴室の出入り口や洗面所の床部分、トイレの便器の近傍の床部分に敷設されるマット等に使用される水周り用のマットに関するものである。
【背景技術】
【０００２】
水周り用のマットとしてはその表面に図柄や模様をプリントするために吸水性や染着性のよい繊維素材でパイルを植設するとともにそのパイルの毛足の長さを揃えてフラットにしたものが多い。
ところがこうしたものではパイルの上面に付着した水分がその表面近傍に吸着保持されるために、以後使用する場合に不快感がともなうだけでなく、雑菌が繁殖し、それが使用者に付着し易く、衛生上にも問題があった。
【０００３】
そこで、乾燥した表面状態を維持し、快適な触感がえられ、衛生的な足拭きマットとして珪藻土を含む調湿材を用い、かつ平面視矩形状に形成された高吸水性タイルと、該高吸水性タイルを複数枚並べて支持しうる支持盤とを備えたものが提案されている（特許文献１参照）。
ところが、先の提案にかかるものでは、複雑な構造で高価になるだけでなく、珪藻土等のために重量が重く取り扱いにくくなるとともに、柔軟性がなく嵩張ることから運送や収納に手間を要するという問題があった。
【特許文献１】特開２００６−３４７９７号公報
【考案の開示】
【考案が解決しようとする課題】
【０００４】
本考案は上記問題点に鑑み提案されたもので、軽量で柔軟性に富み、取り扱いや運送も簡単に行なえ、使用感に優れた水周り用のマットを、簡単な構造で安価に提供成型用きるようにすることを目的とするものである。
【課題を解決するための手段】
【０００５】
上記目的を達成するために、本考案にかかる水周り用のマットは、基布の表面にループパイル若しくはカットパイル等の繊維を立ち上げてなる水周り用のマットであって、繊維が疎水性繊維と吸水性繊維とからなり、各繊維の基布からの長さが、吸水性繊維の長さより疎水性繊維の長さを長くすることにより、吸水性繊維の上端を疎水性繊維の上端よりも低く位置させるようにしたことを最も主要な特徴とするものである。
【０００６】
また、本考案にかかる水周り用のマットでは、疎水性繊維がポリエステル繊維であって、吸水性繊維がアクリル繊維であること、ポリエステル繊維の長さとアクリル繊維の長さと略等しい長さに形成した後、アクリル繊維をバルキー加工により収縮させて吸水性繊維の長さより疎水性繊維の長さを長くしたこと、基布の裏面に滑り止め手段が形成されていることや、疎水性繊維と吸水性繊維とが異なる色にしてあること、さらに、吸水性繊維が天然繊維であることも特徴とするものである。
【考案の効果】
【０００７】
本考案の水周り用のマットによれば、基布の表面にループパイル若しくはカットパイル等の繊維を立ち上げてなる水周り用のマットにおいて、繊維が疎水性繊維と吸水性繊維とからなり、各繊維の基布からの長さが、吸水性繊維の長さより疎水性繊維の長さを長くすることにより、吸水性繊維の上端を疎水性繊維の上端よりも低く位置させるようにしてあるので、当該水周り用のマットは、軽量で柔軟性に富み、取り扱いや運送も簡単に行なうことができる。
【０００８】
しかも、吸水性繊維の上端を疎水性繊維の上端よりも低く位置させるようにしてあるので、マットの表面に付着した水分編地は即座に内方に吸引されて吸水性繊維に吸収されて保持されるので、使用者の肌（足等）に触れるのは水分を保持していない疎水性繊維であることから、べとつかず、サラッとしている。
これにより、使用感に優れ、衛生的な水周り用のマットにすることができる利点がある。
【０００９】
疎水性繊維をポリエステル繊維にし、吸水性繊維をアクリル繊維にしたものでは、上記効果に加えて耐久性を向上させることができる利点がある。
また、ポリエステル繊維の長さとアクリル繊維の長さと略等しい長さに形成した後、アクリル繊維を熱処理や化学処理等のバルキー加工により収縮させて吸水性繊維の長さより疎水性繊維の長さを長くしたものでは簡単に製造でき製造コストを低減することができる利点がある。
【００１０】
更に、基布の裏面に滑り止め手段を形成するようにしたものでは、水回り用のマットが乾燥状態のときは勿論のこと、吸水性繊維に水分を含んでいても滑ることがなく、快適で安全なマットにすることができる利点がある。
加えて、疎水性繊維と吸水性繊維とが異なる色にしたものでは、吸水性繊維の色が疎水性繊維の色に覆われ、あるいは疎水性繊維を通して目に映り、水回り用のマットをカラフルで趣の深いものにすることができる利点がある。
【考案を実施するための最良の形態】
【００１１】
以下、本考案にかかる水周り用のマットの最も好ましい実施の形態を図面に基づいて説明する。
図１は屋内の例えば浴室の入り口に敷設して使用されるバス用マットの斜視図、図２はバス用マットの一部分の縦断側面図、図３はバス用マットの一部分の縦断正面図であって、図中符号１はバス用のマット（水周り用のマット）を全体的に示す。
このバス用マット１は、基布２と、当該基布２の上面となるから側に植設された疎水性繊維３と吸水性繊維４とを備え、裏面には滑り止め加工がなされるとともに、周縁部分はほつれ止め用の縁取り５が形成されている。
【００１２】
基布２は、ポリプロピレン（ＰＰ）繊維で製織した素地に綿状のポリエステル（ＰＥ）繊維をパンチングして形成されている。
上記基布２にタフティングされる疎水性繊維３は、ポリエステル繊維の束に無撚り若しくは甘撚りを掛けたもので形成されている。
これはポリエステル繊維の束を強撚糸にすると、後述するようにマットの表面に付着した水分の浸透性が低下するおそれがあるためであるが、浸透性が阻害されない範囲であれば撚りを強くすることができる。
【００１３】
一方、吸水性繊維４は、アクリル繊維の束に撚りを掛けたもので形成されており、その毛足の長さは前記疎水性繊維３の毛足より短く形成するとともに、疎水性繊維３とはその色を例えば疎水性繊維３が白で当該吸水性繊維４が赤というように異ならせてある。
なお、本考案で言うところの疎水性繊維３と吸水性繊維４とが異なる色にするというのは、同色若しくは同系色でその濃淡が異なるものも包含する。因みに、吸水性繊維４は垢や綿等の天然繊維を採用することもできる。
【００１４】
疎水性繊維３と吸水性繊維４との毛足の長さを異ならせる方法としては、基布２に長さの異なる疎水性繊維３と吸水性繊維４とを直接タフティングしたり、吸水性繊維４にバルキー糸の生糸を使用して疎水性繊維３と同じ毛足の長さにして基布２にタフティングした後、これを熱処理若しくは化学処理により捲縮させて毛足を短くしたりする方法や、図示は省略したが、疎水性繊維３と吸水性繊維４とを混合した糸をタフティングし、これを熱処理若しくは化学処理により捲縮させて毛足を短くしたりする方法がある。
【００１５】
上記のように形成された水周り用のマット１の裏面にはタフティングされた疎水性繊維３および吸水性繊維４の抜け止めを兼ねる滑り止め手段６が設けられている。
この滑り止め手段は６、酢酸ビニルを原料とするホットメルト樹脂を裏面に略均一に塗布したり、分散する状態で点在させたりして形成してある。
【００１６】
斯くして形成された水周り用のマット１を浴室の入り口（図示せず）に敷設して使用すると、浴室から出てきた体から滴り落ちた水分や、足や足の裏の水分が当該マットの毛足の長い疎水性繊維３の上端部分に付着する。
疎水性繊維３の上端部分に付着した水分は、その疎水性繊維３に吸収されず繊維の毛細管現象等により下方に流下し、毛足の短い（上端が低い）吸水性繊維４に吸収される。
【００１７】
疎水性繊維３の上端部分に付着した水分が吸水性繊維４に吸収されると、疎水性繊維３の上端部分には水分が残らず、サラサラの状態に保たれる。
したがって、以後、浴室から出てくる者がこのマット１を踏んでも足の裏等にサラサラの疎水性繊維３が触れるので、湿ったマット１の接触による不快感をなくすことができる。
【００１８】
因みに、上記実施の形態のように疎水性繊維の色を白に、吸水性繊維の色を赤にしたものでは、遠目で見た場合、毛足の長い疎水性繊維３の白色が目立ち、これに赤色とが混合した薄いピンクに見え、近づいて見ると吸水性繊維４の赤色が徐々に目立つように変化するので趣の深いものになる。
なお、上記実施の形態では基布２に疎水性繊維３と吸水性繊維４とをタフティングにより植えつけてカットパイル状にしてあるが、製織時に疎水性繊維３と吸水性繊維４をループ状に打ち込んでなる所謂ループパイルにも本考案を実施することができるのは勿論のことである。
【産業上の利用可能性】
【００１９】
本考案にかかる水周り用のマットは上述したバス用マットに限られず、洗面用マット１１やトイレ用マット１２、図示は省略したがキッチン用マット等の水周り部分に敷設される水周り用マットとしては勿論のこと、フロアマットやクッション等にも広く実施することができる。
【図面の簡単な説明】
【００２０】
【図１】は本考案にかかるバス用マットの使用状態を示す斜視図である。
【図２】はバス用マットの一部分の縦断側面図である。
【図３】はバス用マットの一部分の縦断正面図である。
【符号の説明】
【００２１】
１・・・水周り用のマット
２・・・基布
３・・・疎水性繊維
４・・・吸水性繊維
６・・・すべり止め手段
【図１】
0003127556.tif 000003
【図２】
0003127556.tif 000004
【図３】
0003127556.tif 000005